(57)【特許請求の範囲】
【請求項１】
被写体像を結像面に結像させる撮像光学系，
複数の撮像倍率を切り替え可能なイクステンダ光学系，
合焦位置調整を行うマスタ光学系，
前記イクステンダ光学系の複数の撮像倍率ごとに前記マスタ光学系によって合焦位置調整が行われたことにより得られる前記マスタ光学系の調整量の履歴を記憶するマスタ光学系調整量履歴メモリ，
前記イクステンダ光学系の複数の撮像倍率ごとに前記マスタ光学系調整量履歴メモリに記憶されている前記複数の履歴から得られる，前記イクステンダ光学系の撮像倍率ごとのマスタ光学系の調整量が時間とともに増加または減少する経時変化を示していることに応じて，レンズ装置の光学系の故障が存在することを検出する故障検出部，および
前記故障検出部によって故障が検出されたことに応じて故障を報知する故障報知部，
を備えたレンズ装置。
【請求項２】
前記故障検出部は，
前記レンズ装置を構成する光学系の故障箇所を検出するものであり，
前記故障報知部は，
前記故障検出部によって検出された故障箇所を報知するものである，
請求項１に記載のレンズ装置。
【請求項３】
前記マスタ光学系調整量履歴メモリに記憶されている，前記イクステンダ光学系の複数の撮像倍率についての前記マスタ光学系の調整量の履歴にもとづいて，レンズ装置の故障発生の可能性があるかどうかを検出する故障発生可能性検出部，および
前記故障発生可能性検出部によって故障発生の可能性があると判定されたことに応じて，故障発生の可能性を知らせる警告を行う警告部，
をさらに備えた請求項１または２に記載のレンズ装置。
【請求項４】
前記故障検出部は，
前記マスタ光学系調整量履歴メモリに記憶されている，前記イクステンダ光学系の複数の撮像倍率についての前記マスタ光学系の調整量の履歴にもとづいて，前記イクステンダ光学系の複数の撮像倍率のうち一部の撮像倍率に対応する前記マスタ光学系の調整量が経時変化を示し，かつそれ以外の撮像倍率以外の撮像倍率に対応する前記マスタ光学系の調整量が経時変化を示していないことに応じて，前記一部の撮像倍率の前記イクステンダ光学系の故障であることを検出するものである，
請求項２または３に記載のレンズ装置。
【請求項５】
前記故障検出部は，前記イクステンダ光学系の複数の撮像倍率のそれぞれに対応する前記マスタ光学系の調整量の差分が一定以内を保ちつつ，前記調整量が経時で増加傾向または減少傾向であることに応じて前記マスタ光学系の故障であることを検出するものである，
請求項２から４のうち，いずれか一項に記載のレンズ装置。
【請求項６】
前記故障検出部は，前記イクステンダ光学系の複数の撮像倍率のそれぞれに対応する前記マスタ光学系の調整量のそれぞれの比率が前記イクステンダ光学系の複数の撮像倍率の比率に対応していることに応じて前記イクステンダ光学系および前記マスタ光学系以外の光学系の故障であることを検出するものである，
請求項２から５のうち，いずれか一項に記載のレンズ装置。
【請求項７】
被写体像を結像面に結像させる撮像光学系，複数の撮像倍率を切り替え可能なイクステンダ光学系，および合焦位置調整を行うマスタ光学系を備えたレンズ装置の動作制御方法において，
マスタ光学系調整量履歴メモリが，前記イクステンダ光学系の複数の撮像倍率ごとに前記マスタ光学系によって合焦位置調整が行われたことにより得られる前記マスタ光学系の調整量の履歴を記憶し，
故障検出部が，前記イクステンダ光学系の複数の撮像倍率ごとに前記マスタ光学系調整量履歴メモリに記憶されている前記複数の履歴から得られる，前記イクステンダ光学系の撮像倍率ごとのマスタ光学系の調整量が時間とともに増加または減少する経時変化を示していることに応じて，レンズ装置の光学系の故障が存在することを検出し，
故障報知部が，前記故障検出部によって故障が検出されたことに応じて故障を報知する，
レンズ装置の動作制御方法。
【発明の詳細な説明】
【技術分野】
【０００１】
この発明は，レンズ装置およびその動作制御方法に関する。
【背景技術】
【０００２】
テレビ・レンズのような高機能なレンズ装置には，イクステンダ・レンズと呼ばれる拡大レンズと合焦位置（焦点位置）を調整するマスタ・レンズとが内蔵されている。イクステンダ・レンズは，１倍，２倍など複数の撮像倍率を変更できるものである。マスタ・レンズは，フランジ・バックを調整するものである。【０００３】
また，ズーム端位置と焦点位置との対応関係をもとにズーム位置に応じてフォーカス・レンズの位置調整を行うもの（特許文献１），ズーム位置に応じてフォーカス位置の補正を加えるもの（特許文献２），ポテンショ・メータから位置情報を検出し，制御回路で補正演算を行い，マスタ・レンズ位置を決めるもの（特許文献３）などもある。
【先行技術文献】
【特許文献】
【０００４】
【特許文献１】特開2004-233892号公報
【特許文献２】特開2003-57528号公報
【特許文献３】特開平10-186209号公報
【発明の概要】
【発明が解決しようとする課題】
【０００５】
イクステンダ・レンズは，工場出荷時に合焦位置が調整されているので，撮像倍率を変更した場合であっても，合焦位置がずれることは無い。環境，経時などの影響により，理想状態が維持できず，合焦位置がずれてしまうことがあるが，ユーザ（カメラマン）は合焦位置がずれたことは分らない。上述のように，特許文献１はズーム位置に応じてフォーカス・レンズの位置調整を行うもので，特許文献２はズーム位置に応じてフォーカス位置の補正を行うもので，特許文献３はポテンショ・メータから位置情報を検出し，マスタ・レンズ位置を決めるもので，いずれも上述のような合焦位置ずれが起きた場合のことは考慮されていない。合焦位置ずれは何らかの故障によって起きるものであるが，ユーザはレンズ装置が故障しているかどうかは判別できない。【０００６】
この発明は，レンズ装置が故障しているかどうかがユーザに分るようにするものである。
【課題を解決するための手段】
【０００７】
この発明によるレンズ装置は，被写体像を結像面に結像させる撮像光学系，複数の撮像倍率を切り替え可能なイクステンダ光学系，合焦位置調整を行うマスタ光学系，イクステンダ光学系の複数の撮像倍率ごとにマスタ光学系によって合焦位置調整が行われたことにより得られるマスタ光学系の調整量の履歴を記憶するマスタ光学系調整量履歴メモリ，イクステンダ光学系の複数の撮像倍率ごとにマスタ光学系調整量履歴メモリに記憶されている複数の履歴にもとづいて，レンズ装置の光学系の故障の有無を検出する故障検出部，および故障検出部によって故障が検出されたことに応じて故障を報知する故障報知部を備えていることを特徴とする。【０００８】
この発明は，レンズ装置に適した動作制御方法も提供している。すなわち，被写体像を結像面に結像させる撮像光学系，複数の撮像倍率を切り替え可能なイクステンダ光学系，および合焦位置調整を行うマスタ光学系を備えたレンズ装置の動作制御方法において，マスタ光学系調整量履歴メモリが，イクステンダ光学系の複数の撮像倍率ごとにマスタ光学系によって合焦位置調整が行われたことにより得られるマスタ光学系の調整量の履歴を記憶し，故障検出部が，イクステンダ光学系の複数の撮像倍率ごとにマスタ光学系調整量履歴メモリに記憶されている複数の履歴にもとづいて，レンズ装置の光学系の故障の有無を検出し，故障報知部が，故障検出部によって故障が検出されたことに応じて故障を報知するものである。【０００９】
この発明によると，イクステンダ光学系の撮像倍率が切り替えられ，切り替えられた撮像倍率ごとに合焦位置が撮像面となるようにマスタ光学系が合焦位置調整される。このような合焦位置調整が定期的または不定期に行われる。イクステンダ光学系の複数の撮像倍率ごとにマスタ光学系の調整量の履歴が得られ，その履歴はマスタ光学系調整量履歴メモリに記憶される。マスタ光学系調整量履歴メモリに記憶されている，マスタ光学系の複数の撮像倍率の調整量の履歴にもとづいて，レンズ装置の光学系の故障の有無が検出される。故障が検出されると，その故障が報知される。報知された故障により，環境，経時などの影響から，理想状態が維持できず，合焦位置がずれてしまっていることが分る。【００１０】
故障検出部は，たとえば，レンズ装置を構成する光学系の故障箇所を検出するものであり，故障報知部は，たとえば，故障検出部によって検出された故障箇所を報知するものである。【００１１】
マスタ光学系調整量履歴メモリに記憶されている，イクステンダ光学系の複数の撮像倍率についてのマスタ光学系の調整量の履歴にもとづいて，レンズ装置の故障発生の可能性があるかどうかを検出する故障発生可能性検出部，および故障発生可能性検出部によって故障発生の可能性があると判定されたことに応じて，故障発生の可能性を知らせる警告を行う警告部をさらに備えるようにしてもよい。【００１２】
故障検出部は，たとえば，マスタ光学系調整量履歴メモリに記憶されている，イクステンダ光学系の複数の撮像倍率についてのマスタ光学系の調整量の履歴にもとづいて，イクステンダ光学系の複数の撮像倍率のうち一部の撮像倍率に対応するマスタ光学系の調整量が経時変化を示し，かつそれ以外の撮像倍率以外の撮像倍率に対応するマスタ光学系の調整量が経時変化を示していない（多少の経時変化はあってもよく，実質的に経時変化を示していなければよい）ことに応じて，一部の撮像倍率のイクステンダ光学系の故障であることを検出するものである。【００１３】
故障検出部は，たとえば，イクステンダ光学系の複数の撮像倍率のそれぞれに対応するマスタ光学系の調整量の差分が一定量以内を保ちつつ，調整量が経時で増加傾向または減少傾向であることに応じてマスタ光学系の故障であることを検出するものである。【００１４】
故障検出部は，たとえば，イクステンダ光学系の複数の撮像倍率のそれぞれに対応するマスタ光学系の調整量のそれぞれの比率がイクステンダ光学系の複数の撮像倍率の比率に対応している（ほぼ，一致している）ことに応じてイクステンダ光学系およびマスタ光学系以外の光学系の故障であることを検出するものである。
【図面の簡単な説明】
【００１５】
【図１】テレビ・カメラ用レンズの電気的構成を示すブロック図である。
【図２】マスタ・レンズを調整する処理手順を示すフローチャートである。
【図３】マスタ・レンズの調整量を示す履歴の一例である。
【図４】マスタ・レンズの調整量と経時変化との関係を示している。
【図５】マスタ・レンズの調整量と経時変化との関係を示している。
【図６】マスタ・レンズの調整量と経時変化との関係を示している。
【図７】マスタ・レンズの調整量と経時変化との関係を示している。
【図８】故障報知処理手順を示すフローチャートである。
【図９】故障報知処理手順を示すフローチャートである。
【図１０】故障箇所検出処理手順を示すフローチャートである。
【図１１】故障箇所検出処理手順を示すフローチャートである。
【図１２】故障報知処理手順を示すフローチャートである。
【発明を実施するための形態】
【００１６】
図１は，テレビ・カメラ用レンズ１の電気的構成を示すブロック図である。
【００１７】
テレビ・カメラ用レンズ１の全体の動作は，制御回路40によって統括される。
【００１８】
テレビ・カメラ用レンズ１には，撮像素子11が含まれている。この撮像素子11の前方に，フォーカス・レンズ２，ズーム・レンズ５，絞り６，イクステンダ・レンズ（群，光学系）７およびマスタ・レンズ（群，光学系）10が配置されている。テレビ・カメラ用レンズ１の光軸Ｌは，フォーカス・レンズ２，ズーム・レンズ５，絞り６，マスタ・レンズ10および撮像素子11の受光面の中心を通る。ズーム・レンズ５は，変倍系レンズ３と補正系レンズ４とから構成されている。イクステンダ・レンズ７は，ターレット板（図示略）に撮像倍率が１倍の撮像レンズ８および撮像倍率が２倍の撮像レンズが取り付けられている。切替スイッチ41からの切替制御信号に応じてイクステンダ・レンズ７のターレット板が回転する。すると，１倍の撮像レンズ８または２倍の撮像レンズ９のいずれかが光軸Ｌ上に位置決めされる。
【００１９】
フォーカス・レンズ２のレンズ位置は，検出器13によって検出される。検出器13によって検出されたフォーカス・レンズ２のレンズ位置を示す検出信号は，アナログ／ディジタル変換回路14においてディジタル検出データに変換されて制御回路40に入力する。カメラマンは，フォーカス・リング（図示略）を回してフォーカス量を設定する。設定されたフォーカス量と検出されたディジタル検出データによって表わされるフォーカス・レンズ２のレンズ位置とが制御回路40によって比較され，その比較値にもとづいてフォーカス・レンズ２の駆動量を示すデータが生成される。生成された駆動量を示すデータが駆動回路15に与えられ，駆動回路15によってフォーカス・モータ16が制御されることにより，フォーカス・レンズ２のレンズ位置が調整される。
【００２０】
ズーム・レンズ５を構成する変倍系レンズ３は焦点距離を変化させ，補正系レンズ４は焦点位置が変動しないように補正するものである。カメラマンによって操作されるズーム・リング（図示略）の回転に応じて回転するズーム・カム筒（図示略）が回転することにより変倍系レンズ３および補正系レンズ４は光軸Ｌ上を一定の関係で移動する。ズーム・レンズ５のズーム位置は検出器17によって検出される。検出器17から出力される検出信号は，アナログ／ディジタル変換回路18においてディジタル検出データに変換されて制御回路40に入力する。ズーム・リングによって設定されたズーム量と検出されたディジタル検出データによって表されるズーム・レンズ５のレンズ位置とが制御回路40によって比較され，その比較値にもとづいてズーム・レンズ５の駆動量を示すデータが生成される。生成された駆動量を示すデータが駆動回路19に与えられ，駆動回路19によってズーム・モータ20が制御されることにより，ズーム・レンズ５を構成する変倍系レンズ３および補正系レンズ４のレンズ位置が調整される。
【００２１】
絞り６の絞り量は検出器23によって検出される。検出器23から出力される検出信号は，アナログ／ディジタル変換回路24によってディジタル検出データに変換されて制御回路40に入力する。また，カメラマンによって操作される絞りリング（図示略）の回転量に応じて駆動量を示すデータが生成される。生成された駆動量を示すデータと検出された駆動量を示すデータとが比較されて，その比較値にもとづいて絞り６の駆動量を示すデータが生成される。生成された駆動量を示すデータが駆動回路21に与えられ，駆動回路21によって絞りモータ22が制御されることにより，絞り６が所望の絞り値に設定される。
【００２２】
イクステンダ・レンズ７の近傍には，イクステンダ・レンズ７を構成する撮像レンズ８および９のどちらのレンズが光軸Ｌ上に位置決めされているかを検出するフォトインタラプタ（検出器）25が設けられている。フォトインタラプタ25からの出力信号が制御回路40に入力し，切替スイッチ41により指定された撮像レンズ８または９が光軸Ｌ上に位置決めされているかどうかが検出される。切替スイッチ41により指定された撮像レンズ８または９が光軸Ｌ上に位置決めされていなければ，指定された撮像レンズ８または９が光軸Ｌ上に位置決めされるように制御回路40によって駆動データが生成され駆動回路26に与えられる。駆動回路26によってイクステンダ・モータ27が制御され，撮像レンズ８または９が光軸Ｌ上に位置決めされる。
【００２３】
マスタ・レンズ10の調整量を設定するフランジバック調整つまみ30が設けられている。このつまみ30によって設定される調整量を示すデータは制御回路40に入力される。また，マスタ・レンズ10の移動量を検出するポテンショ・メータ（検出器）28から出力される検出信号は，アナログ／ディジタル変換回路29に入力し，ディジタル検出データに変換されて制御回路40に入力される。つまみ30によって設定された調整量を示すデータとマスタ・レンズ10の移動量を示すディジタル検出データとが制御回路40において比較され，比較値にもとづいて駆動データが生成される。生成された駆動データが駆動回路31に与えられ，マスタ・レンズ・モータ32が駆動される。マスタ・レンズ10が光軸上に沿って移動することにより，被写体像が撮像素子11の撮像面に合焦するように焦点補正が行われる。
【００２４】
撮像素子11から出力される映像信号は，信号処理回路12に入力し，サンプリング処理，白バランス調整，ガンマ補正などの信号処理が行われて，テレビ信号が生成される。生成されたテレビ信号は，ビュー・ファインダに出力されて再生されるとともに出力端子46に与えられる。
【００２５】
さらに，制御回路40には，メモリ42，日時を計測するタイマ43，後述するようにテレビ用カメラ・レンズ１を構成する光学系が故障したときにカメラマン等にその故障を発光して知らせるためのエラーＬＥＤ44および故障が生じる可能性が高くなったときに発光して警告するための警告ＬＥＤ45も接続されている。詳しくは後述するように，制御回路40において，イクステンダ・レンズ７の複数の撮像倍率ごとにメモリ42に記憶されているマスタ・レンズ10の調整量の複数の履歴にもとづいてテレビ用カメラ・レンズ１の故障の有無が検出される。
【００２６】
図２は，マスタ・レンズ10を調整する処理手順を示すフローチャートである。
【００２７】
メンテナンスマン（カメラマンなど他のユーザでもよい）によって切替スイッチ41が操作され，１倍の撮像倍率をもつ撮像レンズ８が光軸Ｌ上にセットされる（ステップ51）。メンテナンスマンによってフランジバック調整つまみ30が操作され，撮像素子11の受光面が合焦位置となるように合焦位置調整が行われる（ステップ52）。メンテナンスマンによって調整終了スイッチ（図示略）が設定されると，撮像倍率が１倍の撮像レンズ８におけるマスタ・レンズの調整量を示すデータが，日時に対応してメモリ42に記憶される（ステップ53）。
【００２８】
同様に，メンテナンスマンによって切替スイッチ41が操作され，２倍の撮像倍率をもつ撮像レンズ９が光軸Ｌ上にセットされる（ステップ54）。メンテナンスマンによってフランジバック調整つまみ30が操作され，撮像素子11の受光面が合焦位置となるように合焦位置調整が行われる（ステップ55）。メンテナンスマンによって調整終了スイッチ（図示略）が設定されると，撮像倍率が２倍の撮像レンズ９におけるマスタ・レンズの調整量を示すデータが，日時に対応してメモリ42に記憶される（ステップ56）。
【００２９】
つづいて，再びメンテナンスマンによって切替スイッチ41が操作され，１倍の撮像倍率をもつ撮像レンズ８が光軸Ｌ上にセットされる（ステップ57）。撮像素子11の受光面が合焦位置として変化無ければ（ステップ58でＹＥＳ）。マスタ・レンズ20の調整処理は終了する。合焦位置が撮像素子11の受光面からずれていると（ステップ58でＮＯ），再びマスタ・レンズ調整つまみ30が操作されて合焦位置調整が行われる（ステップ52）。合焦位置が撮像素子11の受光面からずれた場合に，再び合焦位置調整が行われて得られた調整量を示すデータは，直前に得られた調整量を示すデータに上書きされる。
【００３０】
図２に示すマスタ・レンズ10の調整処理は，定期的または不定期に行われ，調整処理が行われる都度，撮像倍率に対応して得られた調整量を示すデータが，調整処理が行われた日付に対応して記憶されていく。それにより，マスタ・レンズ10の調整量を示す履歴が得られるようになる。
【００３１】
図３は，メモリ42に記憶されるマスタ・レンズ10の調整量を示す履歴の一例である。
【００３２】
図３に示す履歴は，１箇月ごとに定期的にマスタ・レンズ10の調整処理が行われているものであるが，必ずしも１箇月ごとでなくともよいし，不定期でもよい。１倍の撮像倍率をもつ撮像レンズ８に対応して，マスタ・レンズ10の調整処理が行われることにより得られたマスタ・レンズ10の調整量が記憶されている。同様に，２倍の撮像倍率をもつ撮像レンズ９に対応して，マスタ・レンズ10の調整処理が行われることにより得られたマスタ・レンズ10の調整量が記憶されている。
【００３３】
たとえば，2012年11月１日に行われたマスタ・レンズ10の調整処理では，１倍の撮像倍率をもつ撮像レンズ８の調整量はＤ11であり，２倍の撮像倍率をもつ撮像レンズ９の調整量はＤ12である。同様に，2012年12月１日に行われたマスタ・レンズ10の調整処理では，１倍の撮像倍率をもつ撮像レンズ８の調整量はＤ21であり，２倍の撮像倍率をもつ撮像レンズ９の調整量はＤ22である。上述のように，イクステンダ・レンズ７を構成する撮像レンズ８および９ごとにマスタ・レンズ10の調整量を示す履歴が得られていることとなる。
【００３４】
図４から図７は，マスタ・レンズ10の調整量と工場出荷時からの経過時間との関係を示している。
【００３５】
縦軸がマスタ・レンズ10の調整量を示している。マスタ・レンズ10の調整量は，基準位置（例えば，工場出荷時の位置）からのずれ量を示すものである。そのずれ量は，正方向（例えば，基準位置から撮像素子11側にずれる方向）または負方向（例えば，基準位置からイクステンダ・レンズ７側にずれる方向）があるが，図４から図７においては，マスタ・レンズ10の調整量は正方向の場合のみが図示されている。すなわち，マスタ・レンズ10の調整量が上方向に大きくなるほど，その調整量は正方向に大きくなる。しかしながら，マスタ・レンズ10の調整量は負方向に大きくなる場合もあり，その場合にはマスタ・レンズ10の調整量が下方向に大きくなる。横軸は工場出荷時からの経過時間を示している。右方向となるにつれて時間経過が大きい。
【００３６】
この実施例では，マスタ・レンズ10の調整量と工場出荷時からの経過時間との関係から，テレビ・カメラ用レンズ１が故障しているかどうか，故障している場合にはどの箇所が故障しているかどうかなどを検出するものである。
【００３７】
図４を参照して，グラフＧ11で示すように１倍の撮像倍率をもつ撮像レンズ８についてのマスタ・レンズ10の調整量は時間の経過があってもあまり変化ないが，グラフＧ21で示すように２倍の撮像倍率をもつ撮像レンズ９についてのマスタ・レンズ10の調整量は時間の経過とともに大きく変化している。そのような場合，その撮像レンズ９の調整部に故障が生じていると考えられる。このために，そのような場合，この実施例では，マスタ・レンズ10の調整量がしきい値を超えるとエラーＬＥＤ44が発光する。２倍の撮像倍率をもつ撮像レンズ９についてのマスタ・レンズ10の調整量が時間の経過があってもあまり変化せず，１倍の撮像倍率をもつ撮像レンズ８についてのマスタ・レンズ10の調整量が時間の経過とともに大きく変化する場合には，撮像レンズ８の調整部に故障が生じていると考えられるのはいうまでもない。
【００３８】
図５を参照して，グラフＧ12で示すように１倍の撮像倍率をもつ撮像レンズ８についてのマスタ・レンズ10の調整量およびグラフＧ22で示すように２倍の撮像倍率をもつ撮像レンズ９についてのマスタ・レンズ10の調整量のいずれもが時間の経過とともに，ほぼ同じ量で増加傾向（または減少傾向）にある場合にはイクステンダ・レンズ７には故障が無く，マスタ・レンズ10に不具合が生じていると考えられる。１倍の撮像倍率をもつ撮像レンズ８についてのマスタ・レンズ10の調整量および２倍の撮像倍率をもつ撮像レンズ９についてのマスタ・レンズ10の調整量の差分Δが差分しきい値以内で，グラフＧ12およびＧ22で示すようにマスタ・レンズ10の調整量が増加傾向（または減少傾向）（ほぼ同じ量で増加傾向または減少傾向にあると考えられる）にあると，マスタ・レンズ10に故障があるとされ，エラーＬＥＤ44が発光する。
【００３９】
図６を参照して，グラフＧ13で示すように１倍の撮像倍率をもつ撮像レンズ８についてのマスタ・レンズ10の調整量ΔＭ１とグラフＧ23で示すように２倍の撮像倍率をもつ撮像レンズ９についてのマスタ・レンズ10の調整量ΔＭ２との比率が，撮像倍率の比率に対応している場合には，イクステンダ・レンズ７およびマスタ・レンズ10の故障ではなく，イクステンダ・レンズ７およびマスタ・レンズ10以外の光学系の故障であると考えられる。
【００４０】
図７を参照して，グラフＧ14で示すように１倍の撮像倍率をもつ撮像レンズ８についてのマスタ・レンズ10の調整量とグラフＧ24で示すように２倍の撮像倍率をもつ撮像レンズ９についてのマスタ・レンズ10の調整量との比率がある時間ｔまでは図６に示すように撮像倍率の比率に対応しているが，ある時間ｔからは調整量の比率が撮像倍率の比率に対応しなくなる場合には，ズーム・レンズ５の故障であると考えられる。
【００４１】
図３に示すように，倍率の異なる撮像レンズ８および９ごとのマスタ・レンズ10の調整量の履歴から図４から図７に示すようにマスタ・レンズ10の調整量と経過時間との関係が得られるから，その関係からテレビ・カメラ用レンズが故障かどうか，故障箇所がどこかなどが分る。
【００４２】
図８は，故障報知処理手順を示すフローチャートである。
【００４３】
上述のようにマスタ・レンズ10の合焦位置調整が行われ，メモリ42にマスタ・レンズ10の調整量履歴を示すデータが格納されると，その履歴を示すデータがメモリ42から読み出される（ステップ61）。メモリ42から，その履歴を示すデータが読み出されるタイミングは，たとえば，診断モード・スイッチ（図示略）などがテレビ・カメラ用レンズに設けられ，そのようなスイッチにより診断モードが設定された時でもよいし，一定期間が経過した時でもよい。
【００４４】
メモリ42から読み出されたマスタ・レンズ10の調整量履歴を示すデータが，図４から図７に示すような特性を示しているかどうかなどにより，テレビ・カメラ用レンズ１に故障部位があるかどうかが検出される（ステップ62）。故障部位がある場合には（ステップ63でＹＥＳ），エラーＬＥＤ44が発光し，テレビ・カメラ用レンズ１のどこかに故障があることが報知される（ステップ64）。故障部位が無い場合には（ステップ63でＮＯ），ステップ64の処理はスキップされる。
【００４５】
図９は，他の故障報知処理手順を示すフローチャートである。
【００４６】
上述したのと同様に，メモリ42からマスタ・レンズ10の調整量の履歴を示すデータが読み取られ，読み取られたデータから故障箇所が検出される（ステップ72）。故障箇所が検出されると（ステップ73でＹＥＳ），検出された故障箇所が報知される（ステップ74）。故障箇所が検出されなければ（ステップ73でＮＯ），ステップ74の処理はスキップされる。
【００４７】
図８に示す処理では，故障の有無が検出され，故障箇所までは検出されていないが，図９に示す処理では故障箇所が検出されるので，修理が容易となる。ズーム・レンズ５，イクステンダ・レンズ７，マスタ・レンズ10などに対応してエラーＬＥＤを設け，検出された故障箇所に対応するエラーＬＥＤが発光することにより故障箇所が報知されることとなろう。
【００４８】
図10は，故障箇所を検出する処理手順（図９ステップ72の処理手順）を示すフローチャートである。
【００４９】
図４のグラフＧ21に示すように，特定の撮像倍率のマスタ・レンズ10の調整量が時間とともに増加または減少する経時変化を示しているかどうかが確認される（ステップ81）。そのような経時変化を示している場合には（ステップ81でＹＥＳ），その特定の撮像倍率以外のマスタ・レンズ10の調整量が時間とともに増加または減少する経時変化をほぼ示していないかどうかが確認される（ステップ82）。図４のグラフＧ11に示すように，その特定の撮像倍率以外のマスタ・レンズ10の調整量がそのような経時変化をほぼ示していない場合には（ステップ82でＹＥＳ），上述のように，イクステンダ・レンズ７を構成する撮像レンズのうち，特定の撮像倍率の撮像レンズの調整部の故障と決定される（ステップ83）。
【００５０】
図５のグラフＧ12およびＧ22に示すように，すべての撮像倍率のマスタ・レンズ10の調整量時間に伴い増加または減少する経時変化を示しており（ステップ81でＹＥＳ，ステップ82でＮＯ），かつそのような経時変化の差分Δが一定値以内であれば（ステップ85でＹＥＳ），上述のようにマスタ・レンズ10の故障と決定される（ステップ86）。
【００５１】
経時変化の差分Δが一定以内になければ（ステップ85でＮＯ），図６に示すように，特定の撮像倍率の撮像レンズのマスタ・レンズ10の調整量ΔＭ１と他の撮像倍率の撮像レンズのマスタ・レンズ10の調整量ΔＭ２との比率が撮像レンズの撮像倍率の比率に対応しているかどうかが確認される（ステップ87）。対応していれば（ステップ87でＹＥＳ），イクステンダ・レンズ７またはマスタ・レンズ10以外のズーム・レンズ５，フォーカス・レンズ５などの光学系の故障と決定される（ステップ88）。
【００５２】
調整量の比率が撮像倍率の比率に対応していなければ（ステップ87でＮＯ），ある時点で調整量の比率が変化したかどうかが確認される（ステップ89）。図７に示すように，ある時点で調整量の比率が変化すると（ステップ89でＹＥＳ），ズーム・レンズ５の故障と決定される（ステップ90）。
【００５３】
このようにして撮像倍率の異なる複数の撮像レンズに対応したマスタ・レンズ10の調整量の履歴からテレビ・カメラ用レンズ１の故障箇所が検出される。
【００５４】
図12は，故障検出処理手順を示すフローチャートである。
【００５５】
図12に示す処理手順は，故障が発生する可能性が高くなった場合に警告が行われるものである。
【００５６】
上述したのと同様に，メモリ42からマスタ・レンズ10の調整量の履歴を示すデータが読み取られ（ステップ101），読み取られた履歴を示すデータから故障の有無，故障発生の可能性が検出される（ステップ102）。
【００５７】
上述のように，故障箇所がある場合には（ステップ103でＹＥＳ），エラーＬＥＤ44が発光し故障であることが報知される（ステップ104）。
【００５８】
故障箇所が無い場合には（ステップ103でＮＯ），故障発生の可能性があるかどうかが判断される（ステップ105）。故障発生の可能性がある場合には（ステップ105でＹＥＳ），警告ＬＥＤ45が発光し，故障発生の可能性があることが報知される（ステップ106）。
【００５９】
故障する可能性がある場合に警告するだけでなく，図９から図11に示すように故障箇所が特定される場合にも特定の箇所に故障が起こる可能性を警告してもよい。図４に示すように特定の撮像倍率の撮像レンズの調整部が故障する可能性があるかどうかは，しきい値よりも低い別のしきい値を設定し，その別のしきい値を超えたら警告することとなろう。また，図５に示すようにマスタ・レンズ10が故障する可能性があるかどうかは，調整量の差分しきい値Δよりも小さな別の差分しきい値Δ１を規定し，その差分しきい値Δ１よりも調整量の差分が大きくなったら，警告することとなろう。さらに，図６に示すようにイクステンダ・レンズ７，マスタ・レンズ10以外の光学系が故障する可能性があるかどうかは，マスタ・レンズ10の調整量ΔＭ１とΔＭ２との比率が上述のように撮像レンズ８および９の撮像倍率の比率に対応している状態が一定期間の間つづくことにより警告することとなろう。そのような期間がさらに続けば，イクステンダ・レンズ７，マスタ・レンズ10以外の光学系が故障と判断されよう。さらに，図７に示すようにある時間ｔまではマスタ・レンズ10の調整量ΔＭ１とΔＭ２との比率が撮像レンズ８および９の撮像倍率の比率に対応しているが，時間ｔを越えるとその対応関係が崩れる場合には，その対応関係が崩れたらすぐに警告をし，その警告後，そのように対応関係が崩れた状態が続いた場合にズーム・レンズ５の故障であると報知することとなろう。
【符号の説明】
【００６０】
７  イクステンダ・レンズ（イクステンダ光学系）
８  撮像倍率１倍の撮像レンズ
９  撮像倍率２倍の撮像レンズ
10  マスタ・レンズ（マスタ光学系）
40  制御回路（故障検出部）
42  メモリ（マスタ光学系調整量履歴メモリ）
44  エラーＬＥＤ（エラー報知部）
【図１】
0005816390.tif 000002
【図２】
0005816390.tif 000003
【図３】
0005816390.tif 000004
【図４】
0005816390.tif 000005
【図５】
0005816390.tif 000006
【図６】
0005816390.tif 000007
【図７】
0005816390.tif 000008
【図８】
0005816390.tif 000009
【図９】
0005816390.tif 000010
【図１０】
0005816390.tif 000011
【図１１】
0005816390.tif 000012
【図１２】
0005816390.tif 000013